【手続補正書】
【提出日】平成17年8月26日(2005.8.26)
【手続補正１】
【補正対象書類名】特許請求の範囲
【補正対象項目名】全文
【補正方法】変更
【補正の内容】
【特許請求の範囲】
【請求項１】
入力信号ｘ（ｔ）を線形化するための回路であって、
ほぼＨ１の主伝達関数を有する、前記入力信号を受け取り、主信号出力を出力する主回路と、
前記入力信号を受け取り、ほぼＨ２の非線形補助伝達関数を有し、非線形補助信号出力を出力する非線形補助回路であって、Ｈ１（Ｘ）＝ａ１Ｘ＋ａ３Ｘ３、Ｈ２（Ｘ）＝ｂ１Ｘ＋ｂ３Ｘ３であり、Ｘはｘ（ｔ）の変形であり、ａ１ｘａ３＜０、ｂ１ｘｂ３＜０であり、ａ１−ａ３がほぼａ１、ｂ１−ｂ３がほぼ０であるものと、
前記主回路および前記非線形補助回路に結合された、前記主信号と前記非線形補助信号を結合して出力信号をもたらすコンバイナと
を備えたことを特徴とする回路。
【請求項２】
前記コンバイナに結合されたフィードバックループをさらに備えたことを特徴とする請求項１の回路。
【請求項３】
前記フィードバックループにバンドパスフィルタを含むことを特徴とする請求項２の回路。
【請求項４】
前記フィードバックループに、さらにゲインステージを含むことを特徴とする請求項３の回路。
【請求項５】
前記フィードバックループに、さらにパワー検出器を含むことを特徴とする請求項２の回路。
【請求項６】
前記フィードバックループに、さらに閾値検出器を含むことを特徴とする請求項２の回路。
【請求項７】
前記フィードバックループにさらに、
前記コンバイナに結合された、前記出力信号を受け取るバンドパスフィルタと、
前記バンドパスフィルタの出力信号を受け取るように結合されたゲインステージと、
前記ゲインステージの出力信号を受け取るように結合されたパワー検出器と、
前記パワー検出器の出力信号を受け取るように結合された閾値検出器であって、該閾値検出器の出力が前記非線形補助回路によって受け取られるものと
を含むことを特徴とする請求項２の回路。
【請求項８】
前記バンドパスフィルタの入力部に結合されたミクサをさらに備えたことを特徴とする請求項７の回路。
【請求項９】
前記出力信号の一部を受け取り、および、前記非線形補助回路に非線形性フィードバック制御信号を出力するフィードバックループをさらに備えたことを特徴とする請求項１の回路。
【請求項１０】
前記出力信号の非線形性の量を検出する非線形性検出器をさらに備え、前記非線形性フィードバック制御信号は、前記非線形性検出器によって検出される前記非線形性の量に基づいていることを特徴とする請求項９の回路。
【請求項１１】
前記非線形補助回路により、前記非線形補助信号出力の電力レベルを前記非線形性フィードバック制御信号に比例して増大させることを特徴とする請求項１０の回路。
【請求項１２】
前記出力信号中の非線形性の量を検出する非線形性検出器をさらに備え、前記非線形性フィードバック制御信号は、前記非線形検出器によって検出される前記非線形性の量に比例することを特徴とする請求項９の回路。
【請求項１３】
前記フィードバックループにさらに、
前記コンバイナに結合された、前記出力信号を受け取るバンドパスフィルタと、
前記バンドパスフィルタの出力信号を受け取るように結合されたゲインステージと、
前記ゲインステージの出力信号を受け取るように結合されたパワー検出器と、
前記パワー検出器の出力信号を受け取るように結合され、前記非線形補助回路にその出力がよって受け取られる閾値検出器とを含む
ことを特徴とする請求項１２の回路。
【請求項１４】
前記主回路は線形化回路を含むことを特徴とする請求項９の回路。
【請求項１５】
前記主回路は線形化回路を含むことを特徴とする請求項１の回路。
【請求項１６】
前記出力信号の一部を受け取り、および、前記非線形補助回路に非線形性フィードバック制御信号を出力するフィードバックループをさらに備えたことを特徴とする請求項１５の回路。
【請求項１７】
前記フィードバックループに前記出力信号の非線形性の量を検出する非線形性検出器をさらに備え、前記非線形性フィードバック制御信号は、前記非線形性検出器によって検出される前記非線形性の量に比例することを特徴とする請求項１６の回路。
【請求項１８】
前記非線形補助回路によって、前記非線形補助信号出力の電力レベルを前記非線形性フィードバック制御信号に比例して増大させることを特徴とする請求項１７の回路。
【請求項１９】
前記フィードバックループにさらに、
前記コンバイナに結合された、前記出力信号を受け取るバンドパスフィルタと、
前記バンドパスフィルタの出力信号を受け取るように結合されたゲインステージと、
前記ゲインステージの出力信号を受け取るように結合されたパワー検出器と、
前記パワー検出器の出力信号を受け取るように結合された閾値検出器であって、前記閾値検出器の出力信号が前記非線形補助回路によって受け取られる閾値検出器と
を含むことを特徴とする請求項１８の回路。
【請求項２０】
前記線形化回路は、フィードフォワードリニアライザ、デカルトフィードバックループ、ポーラループ修正システムおよびデジタル適応前置補償システムのうちの１つからなることを特徴とする請求項１５の回路。
【請求項２１】
前記出力信号の一部を受け取り、および、前記非線形補助回路に非線形性フィードバック制御信号を出力するフィードバックループをさらに備えたことを特徴とする請求項２０の回路。
【請求項２２】
前記フィードバックループに前記出力信号の非線形性の量を検出する非線形性検出器をさらに備え、前記非線形性フィードバック制御信号は、前記非線形性検出器によって検出される前記非線形性の量に比例することを特徴とする請求項２１の回路。
【請求項２３】
前記非線形補助回路が、前記非線形補助信号出力の電力レベルを前記非線形性フィードバック制御信号に比例して増大させることを特徴とする請求項２２の回路。
【請求項２４】
入力信号を線形化するための回路であって、
該入力信号を受け取り、および、主出力信号を出力する主回路と、
非線形補助出力信号と、
前記主回路および非線形回路に結合され、前記主信号と前記非線形補助信号出力を結合して出力信号をもたらすコンバイナと、
該出力信号の一部を受け取り、および、非線形性フィードバック制御信号を非線形補助回路に出力するフィードバックループとを備え、
該フィードバックループに、前記コンバイナからの前記出力信号の隣接し合うまたは近傍のチャンネルを通過させてスペクトルリークが該チャンネルに発生しているかどうかを判定するためのバンドパスフィルタを含むことを特徴とする回路。
【請求項２５】
入力信号を線形化するための方法であって、
該入力信号を主信号処理回路を使用して処理するステップと、
該入力信号を非線形回路を使用して処理するステップと、
前記主信号処理回路と前記非線形回路の出力信号を結合して出力信号を生成するステップと、
該結合された信号の隣接し合うまたは近傍のチャンネルをバンドパスフィルタを通じて通過させるステップと、
該チャンネルにスペクトルリークが発生しているかどうかを判定するステップと、
前記非線形回路の制御パラメータに対する調整値を決定して該スペクトルリークの判定に基づきその非線形性を大きくするか小さくかのいずれかを加減するステップと
を含むことを特徴とする方法。
【請求項２６】
信号処理システムにおける信号品質を改善するための方法であって、
（ａ）伝達関数Ｈ１に基づいて入力信号を処理するステップと、
（ｂ）伝達関数Ｈ２に基づいて前記入力信号を処理するステップと、
（ｃ）ステップ（ａ）および（ｂ）からの処理済み信号を抽出するステップとを含み、
ステップ（ｂ）は、前記処理済み信号をステップ（ｃ）で抽出する場合に、ステップ（ａ）で出力される前記処理済み信号中の少なくとも１つの所定の高調波、およびステップ（ｂ）で出力される前記処理済み信号中の少なくとも一次高調波および三次高調波を実質的に抑制するだけの十分な量だけ伝達関数Ｈ２の非線形性を大きくするステップを含み、
Ｈ１（Ｘ）＝ａ１Ｘ＋ａ３Ｘ３、Ｈ２（Ｘ）＝ｂ１Ｘ＋ｂ３Ｘ３であり、Ｘはｘ（ｔ）の変形であり、ａ１ｘａ３＜０、ｂ１ｘｂ３＜０であり、ａ１−ａ３がほぼａ１、ｂ１−ｂ３がほぼ０であることを特徴とする方法。
【請求項２７】
前記非線形性を大きくするステップは、伝達関数Ｈ２の非線形性を大きくするループ制御パラメータを調整することを含むことを特徴とする請求項２６の方法。
【請求項２８】
前記少なくとも１つの所定の高調波は三次高調波であることを特徴とする請求項２６の方法。
【請求項２９】
信号処理システムにおける信号品質を改善するためのシステムであって、
伝達関数Ｈ１に基づいて入力信号を修正する第１の信号処理ブロックと、
伝達関数Ｈ２に基づいて前記入力信号を修正する第２の信号処理ブロックと、
前記第１および第２の信号処理ブロックからの処理済み信号を結合するコンバイナとを備え、
前記第２の信号処理ブロックは、前記処理済み信号を前記コンバイナによって結合させる場合に、前記第１の信号処理ブロックから出力される前記処理済み信号中の少なくとも１つの所定の高調波、および前記第２の信号処理ブロックから出力される前記処理済み信号中の少なくとも一次高調波および三次高調波を実質的に抑制するだけの十分な量だけ伝達関数Ｈ２の非線形性を大きくし、
Ｈ１（Ｘ）＝ａ１Ｘ＋ａ３Ｘ３、Ｈ２（Ｘ）＝ｂ１Ｘ＋ｂ３Ｘ３であり、Ｘはｘ（ｔ）の変形であり、ａ１ｘａ３＜０、ｂ１ｘｂ３＜０であり、ａ１−ａ３がほぼａ１、ｂ１−ｂ３がほぼ０であることを特徴とするシステム。
【請求項３０】
前記第２の信号処理ブロックは、伝達関数Ｈ２の非線形性を大きくするループ制御パラメータを調整することを特徴とする請求項２９のシステム。
【請求項３１】
前記少なくとも１つの所定の高調波は三次高調波であることを特徴とする請求項２９のシステム。
【請求項３２】
前記コンバイナは減算器であることを特徴とする請求項２９のシステム。
【請求項３３】
前記第２の信号処理ブロックは、前記処理済み信号を減算器において抽出する場合に、前記第１の信号処理ブロックから出力される前記処理済み信号中の一次高調波を除くすべての高調波を実質的に抑制し、および、前記第２の信号処理ブロックから出力される前記処理済み信号中のすべての高調波を抑制するだけの十分な量だけ伝達関数Ｈ２の非線形性を大きくすることを特徴とする請求項２９のシステム。
【請求項３４】
最初は少なくとも部分的に非線形な回路のための回路であって、
入力信号を第１の入力信号と第２の入力信号に分離する手段と、
前記第１の入力信号の第１の所定の高調波への前記少なくとも部分的に非線形な回路による効果を判定する手段と、
前記第２の入力信号を受け取り、および、前記第２の入力信号の第２の所定の高調波を修正する手段であって、該手段の出力が前記少なくとも部分的に非線形な回路と結合されると前記第１の入力信号の第１の高調波を少なくとも部分的に抑圧するようにする手段とを備え、
前記判定する手段が、前記結合された出力信号の隣接し合うまたは近傍のチャンネルを通過させて該チャンネルにスペクトルリークが発生しているかどうかを判定するためのバンドパスフィルタを備えることを特徴とする回路。